(57)【要約】  空気式防舷材に圧力センサーを後から取り付ける場合において、それらを確実かつ容易に対応させることができると共に、不適切な圧力センサーを取り付けた場合でも安全性を確保することができる空気式防舷材の管理システムを提供する。空気式防舷材３及び圧力センサー５に設置された識別タグ４の第１の識別情報と、圧力センサー５が有する第２の識別情報とを比較することによりそれらを対応させると共に、互いに識別情報が異なる場合には、圧力センサー５の機能を停止するようにする。
2011155265.tif 000002
【特許請求の範囲】
【請求項１】
第１の識別情報が記録された識別タグを埋設した空気式防舷材と、該空気式防舷材の空気圧を検知及び送信する圧力センサーとを対応させる空気式防舷材の管理システムであって、
前記圧力センサーは、前記空気式防舷材の空気圧を検知するセンサー部と、該センサー部からの信号を送信する送信部と、前記識別タグの情報を読み取るリーダ部と、第２の識別情報が記録されたメモリ部を有する制御部とを備え、
前記制御部は、前記リーダ部が読み取った前記第１の識別情報と前記メモリ部の第２の識別情報とを比較して、それらが同一である場合には、前記センサー部が検知した空気圧情報を前記送信部から送信させ、それらが異なる場合には、該センサー部及び／又は送信部を停止させることを特徴とする空気式防舷材の管理システム。
【請求項２】
第１の識別情報が記録された識別タグを埋設した空気式防舷材と、該空気式防舷材の空気圧を検知及び送信し、かつ無線式の起動装置により起動される圧力センサーとを対応させる空気式防舷材の管理システムであって、
前記圧力センサーは、前記空気式防舷材の空気圧を検知するセンサー部と、該センサー部からの信号を送信する送信部とを備え、
前記起動装置は、前記識別タグの第１の識別情報を読み取るリーダ部と、第２の識別情報が記録されたメモリ部を有する制御部とを備え、
前記制御部は、前記リーダ部が読み取った前記第１の識別情報と前記メモリ部の第２の識別情報とを比較して、それらが同一である場合にのみ前記圧力センサーを起動する無線信号を送信させることを特徴とする空気式防舷材の管理システム。
【請求項３】
前記センサー部及び送信部を、自動車用のタイヤ空気圧監視装置から構成した請求項１又は２に記載の空気式防舷材の管理システム。
【請求項４】
前記センサー部に、前記空気式防舷材の内部温度を測定する温度センサーを付加した請求項１〜３のいずれかに記載の空気式防舷材の管理システム。
【請求項５】
前記識別タグがＲＦＩＤタグである請求項１〜４のいずれかに記載の空気式防舷材の管理システム。
【発明の詳細な説明】
【技術分野】
【０００１】
本発明は空気式防舷材の管理システムに関し、更に詳しくは、空気式防舷材に圧力センサーを後から取り付ける場合において、それらを確実かつ容易に対応させることができると共に、不適切な圧力センサーを取り付けた場合でも安全性を確保することができるようにした空気式防舷材の管理システムに関する。
【背景技術】
【０００２】
従来より、船舶の接岸時又は接舷時における船体及び岸壁の損傷防止を目的として、空気式防舷材が岸壁の壁面又は船側に設置されている。この空気式防舷材は、ゴムなどの弾性材料からなる略俵状の中空構造体に圧縮空気を封入し、船舶の接岸又は接舷時の衝撃を空気圧により緩衝させるようにしたものである。そのため、空気式防舷材には常に適正な空気圧が維持されていることを容易に確認できるようにする必要がある。【０００３】
例えば、特許文献１は、空気式防舷材の内部に取り付けた圧力センサーにより検知した空気圧を、無線で外部に常時送信して受信装置に表示させるようにした内圧検知装置を提案している。【０００４】
ところで、近年では、主として品質管理及び安全上の観点から、個々の空気式防舷材を容易に識別できるように、識別システムを空気式防舷材の本体に備えることが求められている（非特許文献１を参照）。そして、このように空気式防舷材の識別が可能になったことで、個々の空気式防舷材の仕様に適した圧力センサーを取り付けることにより、空気圧を更に適正に管理できる可能性がある。【０００５】
しかしながら、空気式防舷材の製造時に圧力センサーを取り付ける場合はともかく、既存の空気式防舷材に圧力センサーを後から取り付けるような場合や、圧力センサーを交換するような場合には、不適切な圧力センサーを取り付けてしまう可能性がある。そのようなことが発生すると、圧力センサーの動作不良により使用者に適切なフィードバックができず、空気式防舷材の過圧縮による船舶の損傷や、過給気による空気式防舷材の破裂などを招くおそれがある。そのため、空気式防舷材と圧力センサーとを確実かつ容易に対応させることができると共に、安全性を確保することができる管理システムの実現が望まれている。
【先行技術文献】
【特許文献】
【０００６】
【特許文献１】特開昭６０−４６４３８号公報
【非特許文献】
【０００７】
【非特許文献１】ＩＳＯ１７３５７「船舶及び海洋技術−高圧フロート空気入りゴムフェンダ」
【発明の概要】
【発明が解決しようとする課題】
【０００８】
本発明の目的は、空気式防舷材に圧力センサーを後から取り付ける場合において、それらを確実かつ容易に対応させることができると共に、不適切な圧力センサーを取り付けた場合でも安全性を確保することができる空気式防舷材の管理システムを提供することにある。
【課題を解決するための手段】
【０００９】
上記の目的を達成する第１発明の空気式防舷材の管理システムは、第１の識別情報が記録された識別タグを埋設した空気式防舷材と、該空気式防舷材の空気圧を検知及び送信する圧力センサーとを対応させる空気式防舷材の管理システムであって、前記圧力センサーは、前記空気式防舷材の空気圧を検知するセンサー部と、該センサー部からの信号を送信する送信部と、前記識別タグの情報を読み取るリーダ部と、第２の識別情報が記録されたメモリ部を有する制御部とを備え、前記制御部は、前記リーダ部が読み取った前記第１の識別情報と前記メモリ部の第２の識別情報とを比較して、それらが同一である場合には、前記センサー部が検知した空気圧情報を前記送信部から送信させ、それらが異なる場合には、該センサー部及び／又は送信部を停止させることを特徴とするものである。【００１０】
また、上記の目的を達成する第２発明の空気式防舷材の管理システムは、第１の識別情報が記録された識別タグを埋設した空気式防舷材と、該空気式防舷材の空気圧を検知及び送信し、かつ無線式の起動装置により起動される圧力センサーとを対応させる空気式防舷材の管理システムであって、前記圧力センサーは、前記空気式防舷材の空気圧を検知するセンサー部と、該センサー部からの信号を送信する送信部とを備え、前記起動装置は、前記識別タグの情報を読み取るリーダ部と、第２の識別情報が記録されたメモリ部を有する制御部とを備え、前記制御部は、前記リーダ部が読み取った前記第１の識別情報と前記メモリ部の第２の識別情報とを比較して、それらが同一である場合にのみ前記圧力センサーを起動する無線信号を送信させることを特徴とするものである。
【発明の効果】
【００１１】
第１発明の空気式防舷材の管理システムによれば、空気式防舷材に圧力センサーを後から取り付ける場合において、空気式防舷材及び圧力センサーに設置された識別タグの識別情報を比較することより空気式防舷材と圧力センサーと対応させ、かつ互いの識別情報が異なる場合には、圧力センサーの機能を停止するようにしたので、空気式防舷材と圧力センサーとを確実かつ容易に対応させることができると共に、不適切な圧力センサーを取り付けても安全性を確保することができる。【００１２】
第２発明の空気式防舷材の管理システムによれば、上記の効果に加えて、圧力センサーの部品点数を減らしてコスト低減を図ることができる。【００１３】
上記の第１及び第２発明においては、センサー部及び送信部を、自動車用のタイヤ空気圧監視装置から構成することが望ましい。そのように市販品を用いることで、コストを更に低減することができる。【００１４】
センサー部には、空気式防舷材の内部温度を測定する温度センサーを付加することが望ましい。そのようにすることで、空気式防舷材の健全性を精度良く把握することができる。【００１５】
識別タグにはＲＦＩＤタグを用いることが望ましい。そのように市販品を用いることで、コストを更に低減することができる。
【図面の簡単な説明】
【００１６】
【図１】図１は第１発明の実施形態からなる空気式防舷材の管理システムの対象となる空気式防舷材の例である。
【図２】図２は図１の空気式防舷材の断面図である。
【図３】図３は図１の圧力センサーの構成を示すブロック図である。
【図４】図４は第２発明の実施形態からなる空気式防舷材の管理システムにおける圧力センサーの構成を示すブロック図である。
【図５】図５は起動装置の構成を示すブロック図である。
【図６】図６は圧力センサーの取付位置の例を示す一部断面図である。
【発明を実施するための形態】
【００１７】
以下に、本発明の実施の形態について、図面を参照して説明する。
【００１８】
図１は、第１発明の実施形態からなる空気式防舷材の管理システムの対象となる空気式防舷材の例を示す。
【００１９】
この空気式防舷材の管理システム（以下、単に「管理システム」という。）は、岸壁１に係留索２により係留された空気式防舷材３に埋設された識別タグ４と、空気式防舷材３の内部に後から取り付けられた圧力センサー５と、その圧力センサー５から電波６で送信される空気圧検知信号を受信・表示する陸上の受信装置７とを備えている。
【００２０】
空気式防舷材３は、図２に示すように、ゴム部材と補強部材とを積層して成形した略俵状で中空構造の防舷材本体８を有し、その両端部には空気バルブ等を備えた口金９が取り付けられている。
【００２１】
空気式防舷材３の補強層内等に埋め込まれた識別タグ４には、個々の空気式防舷材３の識別情報（第１の識別情報）が記録されている。識別タグ４としては、ＲＦＩＤ（Radio Frequency IDentification）タグが用いられ、その種類は特に限定するものではないが、電源が不要で通信性能及び通信品質に優れているという点から、パッシブ型のＲＦＩＤタグが好ましく用いられる。また、識別情報としては、サイズ、製造業者及び製造番号などが規定されている（非特許文献１を参照）。
【００２２】
空気式防舷材３の内部に後から取り付けられた圧力センサー５は、図３に示すように、空気圧を検知するセンサー部１０と、送信アンテナ１１を通じて受信装置７へ電波６を発信する送信部１２の他に、識別タグ４から発信される第１の識別情報を有する識別信号を読み取るリーダ部１３と、それらセンサー部１０、送信部１２及びリーダ部１３の動作を制御する制御部１４とを備えている。また、制御部１４には、圧力センサー５の取付対象となる空気式防舷材３の識別情報（第２の識別情報）を記録したメモリ部１５が付属している。それらセンサー部１０や制御部１４などは、内蔵の電源（バッテリ）１６により駆動される。なお、センサー部１０は、空気圧を測定する、又は圧力差を検出することにより、空気圧を検知するものである。
【００２３】
このような管理システムにより、圧力センサー５を空気式防舷材３に後から取り付ける場合を以下に説明する。
【００２４】
まず、空気式防舷材３の内部に圧力センサー５を取り付ける。圧力センサー５は複数台を取り付けてもよく、その取付位置はメンテナンスの容易化及び検知精度の点から口金９の背面又はその近傍内壁とすることが好ましい。例えば、図６に示すように、防舷材本体８と口金９との嵌合部分からの距離Ｌが３００〜３５０ｍｍとなる位置に取り付ける。  
【００２５】
次に、圧力センサー５の電源１６をオンにして各部を起動する。電源１６をオンにする手段としては、後述する無線式の起動装置１７によるものが一般的であるが、それに限るものではなく、例えばタイマーや空気式防舷材の圧力変化を利用するものでも良い。
【００２６】
起動した制御部１４は、リーダ部１３が読み取った識別タグ４の第１の識別情報を、メモリ部１５の第２の識別情報と比較する。例えば、両者の製造番号が同一である場合には、センサー部１０及び送信部１２を引き続き作動させ、センサー部１０が検知した空気圧情報を有する信号を送信部１２から受信装置７へ送信する。しかし、両者の製造番号が異なる場合には、センサー部１０及び／又は送信部１２を停止させ、空気圧検知に関する動作を行わないようにする。
【００２７】
このように管理システムを構成することにより、空気式防舷材３に圧力センサー５を後から取り付ける場合において、識別タグ４の第１の識別情報と、圧力センサー５が有する第２の識別情報とを比較するので、空気式防舷材３と圧力センサー５とを確実かつ容易に対応させることができる。また、誤って不適切な圧力センサー５を取り付けた場合でも、圧力センサー５の機能を停止し、そのことを受信装置７を通じて確認することができるため、船舶の損傷や空気式防舷材３の破裂などを防止することができる。
【００２８】
図４、５は、第２発明の実施形態からなる空気式防舷材の管理システムに用いられる圧力センサー及び起動装置の構成をそれぞれ示す。なお、第１発明の実施形態と同一の機能を有する部品等には同一の符号を付し説明を省略する。
【００２９】
この管理システムでは、圧力センサー５は起動装置１７により電源がオンにされる。圧力センサー５は、起動装置１７からの起動信号を受信アンテナ１８を通じて受信する受信部１９を有する一方で、起動装置１７は、発信アンテナ２０を通じて起動信号を発信する発信部２１の他に、リーダ部１３、制御部１４及びメモリ部１５を備えている。
【００３０】
このような管理システムにより、圧力センサー５を空気式防舷材３に後から取り付ける場合において、空気式防舷材３の内部に圧力センサー５を取り付けた後に、起動装置１７により圧力センサー５を起動するに際して、制御部１４はリーダ部１３が読み取った識別タグ４の第１の識別情報が、メモリ部１５の第２の識別情報と同一である場合にのみ、圧力センサー５の電源１６をオンにする起動信号を発信部２１から圧力センサー５へ送信させるようになっている。
【００３１】
このように管理システムを構成することにより、上述した第１発明の管理システムと同じ効果を奏することができる上に、圧力センサー５の部品点数を減らしてコスト低減を図ることができる。
【００３２】
圧力センサー５のセンサー部１０及び送信部１２には、例えば、特開２００７−０８３９１１号公報に示すように、自動車用のタイヤ空気圧監視装置（Tire Pressure Monitoring System、以下「ＴＰＭＳ」という。）を用いるようにしてもよい。このように市販品であるＴＰＭＳを用いることにより、圧力センサー５の製造コストを低減することができる。
【００３３】
また、圧力センサー５のセンサー部１０に温度センサーを付加し、その測定信号も送信部から送信するようにしてもよい。そのようにすることで、空気式防舷材３の健全性を精度良く把握することができる。
【符号の説明】
【００３４】
１  岸壁
２  係留索
３  空気式防舷材
４  識別タグ
５  圧力センサー
６  電波
７  受信装置
８  防舷材本体
９  口金
１０  センサー部
１１  送信アンテナ
１２  送信部
１３  リーダ部
１４  制御部
１５  メモリ部
１６  電源
１７  起動装置
１８  受信アンテナ
１９  受信部
２０  発信アンテナ
２１  発信部
【図１】
2011155265.tif 000003
【図２】
2011155265.tif 000004
【図３】
2011155265.tif 000005
【図４】
2011155265.tif 000006
【図５】
2011155265.tif 000007
【図６】
2011155265.tif 000008
【国際調査報告】
2011155265.tif 000009
2011155265.tif 000010